(57)【要約】【課題】潤滑剤の形状変更や押圧力を異ならせるなどの操作を要することなく、使用初期のブラシ繊維からの接触圧力をそのまま受けるようにして経時による摩耗を利用して均一接触による均一供給を可能にする構成を備えた潤滑剤塗布装置を提供する。【解決手段】固形潤滑剤４０１と、固形潤滑剤４０１を削り取ることにより該潤滑剤４０１を被塗布対象物１１に供給する潤滑剤供給部材４０２とを備えた潤滑剤塗布装置４００において、固形潤滑剤４０１は、長手方向全域に亘って同一厚さを持つ形状とされ、潤滑剤供給部材４０２は、固形潤滑剤４０１の表面に接触可能なブラシ繊維を備えたブラシローラで構成され、固形潤滑剤４０１の長手方向両端部に対向するブラシ繊維の直径Ｄ１が該端部間でのブラシ繊維の直径Ｄ０よりも大きくされていることを特徴とする。【選択図】図３
2010210698.tif 000002
【特許請求の範囲】
【請求項１】
固形潤滑剤と、固形潤滑剤を削り取ることにより該潤滑剤を被塗布対象物に供給する潤滑剤供給部材とを備えた潤滑剤塗布装置において、
前記固形潤滑剤は、長手方向全域に亘って同一厚さを持つ形状とされ、
前記潤滑剤供給部材は、前記固形潤滑剤の表面に接触可能なブラシ繊維を備えたブラシローラで構成され、前記固形潤滑剤の長手方向両端部に対向するブラシ繊維の直径が該端部間でのブラシ繊維の直径よりも大きくされていることを特徴とする潤滑剤塗布装置。
【請求項２】
前記固形潤滑剤は、前記潤滑剤供給部材に対して押圧されて接触する構成であることを特徴とする請求項１に記載の潤滑剤塗布装置。
【請求項３】
請求項１または２に記載の潤滑剤塗布装置を用いることを特徴とする画像形成装置。
【請求項４】
潜像担持体が被塗布対象物として用いられることを特徴とする請求項３に記載の画像形成装置。
【請求項５】
前記潤滑剤塗布装置におけるブラシローラの軸方向両端が被塗布対象物として用いられる潜像担持体の軸方向における画像形成領域外に対応させてあることを特徴とする請求項３または４に記載の画像形成装置。
【請求項６】
前記潤滑剤塗布装置を前記潜像担持体の移動方向において該潜像担持体に対するクリーニング工程後に設けたことを特徴とする請求項３乃至５のいずれかに記載の画像形成装置。
【請求項７】
前記潤滑剤塗布装置を前記潜像担持体の移動方向において該潜像担持体に対する帯電工程前に設けたことを特徴とする請求項３乃至６のいずれかに記載の画像形成装置。
【請求項８】
前記潜像担持体の移動方向において前記潤滑剤塗布装置による潤滑剤の塗布後に該潤滑剤の膜厚を規定する部材が設けられていることを特徴とする請求項３乃至７のいずれかに記載の画像形成装置。
【請求項９】
請求項３乃至８のいずれかに記載の画像形成装置に用いられるプロセスカートリッジであって、
前記潜像担持体およびこれに対する画像形成処理に用いられる帯電装置、現像装置およびクリーニング装置の少なくとも一つが纏めて収容されるケーシングを備え、該ケーシングが前記画像形成装置に対して着脱可能に設けられることを特徴とするプロセスカートリッジ。
【発明の詳細な説明】
【技術分野】
【０００１】
本発明は、潤滑剤塗布装置、画像形成装置およびプロセスカートリッジに関し、さらに詳しくは、像担持体のクリーニングに際してその表面での摩擦係数を低減するための潤滑剤を供給する機構に関する。
【背景技術】
【０００２】
周知のように、複写機やプリンタあるいは印刷機などの画像形成装置においては、潜像担持体である感光体上に形成された静電潜像が現像装置から供給される現像剤によって可視像処理される。可視像処理された画像は、記録シートなどに転写され、定着されることで複写出力とされる。
【０００３】
一方、画像転写を終えた感光体は、クリーニング装置により未転写などによる残留トナーやトナーの外添剤などの異物を除去され、さらには、残留電化を除電することが行われる。
【０００４】
クリーニング装置には、感光体表面に当接する部材としてクリーニングブレードやクリーニングブラシが備えられており、感光体表面からの異物の除去が可能になっているが、例えば、クリーニングブレードのように感光体表面に当接される部材を用いた際には、経時摩耗を生じる問題がある。つまり、クリーニングブレードと感光体との摺擦期間が長くなると、感光体表面での摩擦抵抗を受けてブレードに経時摩耗が生じ、欠けや変形などが生じてクリーニング性能を低下させる場合がある。
【０００５】
そこで、感光体表面とクリーニングブレードとの接触面での摩擦抵抗を抑える構成として、感光体表面に潤滑剤を塗布する潤滑剤供給手段を設けることが提案されている（例えば、特許文献１）。
【０００６】
潤滑剤を感光体表面に供給した場合には、感光体表面での摩擦係数が低下し、現像剤に用いられるトナーと感光体表面との付着力の低下による転写効率の向上が期待できると共に、トナーに外添される流動化剤や帯電制御剤などを用いた際にこれらの剤がクリーニング部材から受ける当接圧によって膜状に固着するフィルミング現象の発生を防止することができる。
【０００７】
ところで、潤滑剤供給手段として用いられる部材の一つにブラシローラがある。
【０００８】
ブラシローラは、特許文献１にも開示されているように、使用初期においてブラシ繊維の機械的疲労が少ないことから、潤滑剤との接触圧力が高い傾向にある。このため、潤滑剤を削り取る量が過剰になりやすく、削り取られた過剰な潤滑剤が供給されると、特許文献１に開示されているように、感光体表面とクリーニングブレードとクリーニングブレードとの間の摩擦力が高まり、感光体の駆動負荷が増加するという不具合がある。
【０００９】
さらに、潤滑剤の過剰供給は、現像剤の帯電量低下を招き、これによる地汚れの発生や、帯電装置の帯電不良を招くことがある。
【００１０】
後者の不具合に関して説明すると、近年、電子写真における作像プロセスの帯電手段の構成として、帯電部材を感光体に接触もしくは近接させて配置した帯電ローラなどを用いて帯電処理を行う帯電装置が多く採用されているが、帯電部材にＡＣを印加した場合、コロナ帯電器に比べて発生オゾン量は少ないが、放電生成物による悪影響がある。
【００１１】
すなわち感光体表面に放電生成物が付着、俗に言う感光体フィルミングが発生することによって、感光体表面が低抵抗化して潜像の解像力が低下し、ボケ、画像流れ等が発生しやすくなる。更にこのフィルミングはＡＣバイアスが大きくなるほど顕著に発生することが確認されており、これにより感光体表面の平滑性が損なわれ、感光体のクリーニング不良を誘発し、経時品質を不安定にさせている。
【００１２】
そこで、感光体に潤滑剤を塗布することにより放電生成物の付着力を低減し、フィルミングを抑制することが可能であるが、塗布量が過多になると、感光体に接触、あるいは近接している帯電部材が潤滑剤で汚染され、帯電不良となる不具合が発生している。
【００１３】
このような不具合に対して、使用初期における潤滑剤を塗布用ブラシローラとの接触面積が小さくなる形状としたり、潤滑剤の長手方向での硬度を異ならせることが提案されている（特許文献２）。
【００１４】
またこれとは別に、潤滑剤に対する塗布部材の均一接触を行う構成として、棒状の固形潤滑剤の長手方向において、両端よりも中央部での押圧力を小さくした状態で固形潤滑剤を支持することにより、塗布部材と潤滑剤との過剰な圧力による接触を避けて過剰な削り取りを行わないようにした構成が提案されている（例えば、特許文献３）。
【発明の概要】
【発明が解決しようとする課題】
【００１５】
しかし、特許文献２に開示されているように、固形潤滑剤の形状を特殊なものとした場合には、固形潤滑剤との接触面積が小さくなることでブラシによる削り取り量も少なくなる反面、経時においても、接触面積が小さいままとなる。このため、経時においてブラシ繊維の機械的疲労により削り取る力が弱くなると、供給に必要な削り取り量を確保できなくなる虞がある。さらに、長手方向で硬度を異ならせた場合においても、潤滑剤の構造が特殊となる虞がある。
【００１６】
一方、特許文献３に開示されている構成においては、押圧のために用いられるバネの弾性力を異ならせていることから、潤滑剤の支持部に作用する押圧力の違いにより支持部の長手方向において均等な押圧移動ができにくく、長手方向中央が撓みやすくなることで塗布部材に対する長手方向での均一な接触ができにくくなる虞がある。
【００１７】
本発明の目的は、上記従来の潤滑剤塗布装置における問題に鑑み、潤滑剤の形状変更や押圧力を異ならせるなどの操作を要することなく、使用初期のブラシ繊維からの接触圧力をそのまま受けるようにして経時による摩耗を利用して均一接触による均一供給を可能にする構成を備えた潤滑剤塗布装置を提供することにある。
【課題を解決するための手段】
【００１８】
この目的を達成するため、本発明は次の構成よりなる。
（１）固形潤滑剤と、
前記固形潤滑剤を削り取ることにより該潤滑剤を被塗布対象物に供給する潤滑剤塗布部材とを備えた潤滑剤塗布装置において、
前記固形潤滑剤は、長手方向全域に亘って同一厚さを持つ形状とされ、
前記潤滑剤塗布部材は、前記固形潤滑剤の表面に接触可能なブラシ繊維を備えたブラシローラで構成され、前記固形潤滑剤の長手方向両端に対向するブラシ繊維の直径が該端部間でのブラシ繊維の直径よりも大きくされていることを特徴とする潤滑剤塗布装置。
（２）前記固形潤滑剤は、前記潤滑剤塗布部材に対して押圧されて接触する構成であることを特徴とする（１）に記載の潤滑剤塗布装置。
（３）（１）または（２）に記載の潤滑剤塗布装置を用いることを特徴とする画像形成装置。
（４）潜像担持体が被塗布対象物として用いられることを特徴とする（３）に記載の画像形成装置。
（５）前記潤滑剤塗布装置におけるブラシローラの軸方向両端が被塗布対象物として用いられる潜像担持体の軸方向における画像形成領域外に対応させてあることを特徴とする（３）または（４）に記載の画像形成装置。
（６）前記潤滑剤塗布装置を前記潜像担持体の移動方向において該潜像担持体に対するクリーニング工程後に設けたことを特徴とする（３）乃至（５）のいずれかに記載の画像形成装置。
（７）前記潤滑剤塗布装置を前記潜像担持体の移動方向において該潜像担持体に対する帯電工程前に設けたことを特徴とする（３）乃至（６）のいずれかに記載の画像形成装置。
（８）前記潜像担持体の移動方向において前記潤滑剤塗布装置による潤滑剤の塗布後に該潤滑剤の膜厚を規定する部材が設けられていることを特徴とする（３）乃至（７）のいずれかに記載の画像形成装置。
（９）（３）乃至（８）のいずれかに記載の画像形成装置に用いられるプロセスカートリッジであって、
前記潜像担持体およびこれに対する画像形成処理に用いられる帯電装置、現像装置およびクリーニング装置の少なくとも一つが纏めて収容されるケーシングを備え、該ケーシングが前記画像形成装置に対して着脱可能に設けられることを特徴とするプロセスカートリッジ。
【発明の効果】
【００１９】
本発明によれば、潤滑剤塗布部材として用いられるブラシローラが、その軸方向両端部でのブラシ繊維の直径を端部間でのブラシ繊維の直径よりも大きくされているので、軸方向両端部での固形潤滑剤の削り取り量が端部間でのそれよりも多くなる。これにより、ブラシローラの使用初期においてブラシ繊維の機械的疲労が少なく削り取り量が多くなりがちな場合でも、端部間での削り取り量を過剰な状態としないようにできる。この結果、使用初期における過剰な削り取りを防止して過剰な潤滑剤塗布が抑制できる。
【００２０】
特に、固形潤滑剤は、特殊な形状とすることなく、長手方向で均一な厚さを持つ一般的な形状のものを用いた場合でもブラシとの均一接触を行わせることができる。
【図面の簡単な説明】
【００２１】
【図１】本発明による潤滑剤塗布装置を装備したプロセスカートリッジが適用される画像形成装置の内部構成を説明するための図である。
【図２】本発明による潤滑剤塗布装置を装備したプロセスカートリッジの構成を説明するための図である。
【図３】本発明による潤滑装置の要部構成を説明するための模式図である。
【図４】図３に示した要部構成の作用を説明するための模式図である。
【発明を実施するための形態】
【００２２】
以下、図面に示す実施例により本発明を実施するための形態について説明する。  
図１は、本発明による潤滑剤供給装置を備えたプロセスカートリッジが適用される画像形成装置の本体１００における内部機構の全体概略構成を示している。
【００２３】
図１において符号１０ｃ、１０ｍ、１０ｙ、１０ｂは、それぞれシアン、マゼンタ、イエロ、ブラックの４つの画像形成ユニットであり、タンデム式に並べて設けられている。
【００２４】
各画像形成ユニットには、それぞれドラム状の像担持体１１ｃ、１１ｍ、１１ｙ、１１ｂが備えられ、その図中時計まわりの回転にともない、まず各帯電装置１２ｃ、１２ｍ、１２ｙ、１２ｂで表面を一様に帯電し、次いで共通の書込み装置１３からのレーザ光Ｌｃ、Ｌｍ、Ｌｙ、Ｌｂで書き込みを行い、その後、各現像装置１４ｃ、１４ｍ、１４ｙ、１４ｂによるトナー供給によって像担持体１１ｃ、１１ｍ、１１ｙ、１１ｂ上に色毎の単色画像が形成されるようになっている。
【００２５】
各画像形成ユニットにおいて形成された色毎の画像は、各像担持体１１ｃ、１１ｍ、１１ｙ、１１ｂと対面する展張面を有した無端状ベルトからなる中間転写体１５に対し、各１次転写装置１６ｃ、１６ｍ、１６ｙ、１６ｂからの転写バイアスにより順次転写されて重畳される１次転写工程によりフルカラー画像として形成される。
【００２６】
一方、詳細な図示はしないが、複数段の給紙カセット２１を備えた給紙部２００からは、適宜タイミングで給送ローラ２０の１つが選択的に回転され、給紙カセット２１から所定要旨（記録媒体）２２が繰り出されるようになっている。
【００２７】
繰り出された所定用紙（記録媒体）は、用紙搬送路（記録媒体搬送路）２３を通して搬送されて一対のレジストローラ２４間に突き当てられることで中間転写体１５上のフルカラー画像の位置との整合を採るためのレジストタイミングが設定された上で２次転写装置２５の位置に向けて給送され、２次転写装置２５による転写バイアスを介して重畳画像を一括転写されるようになっている。
【００２８】
一括転写による２次転写工程を終了した所定用紙（記録媒体）２２は、用紙搬送路２３を通過して定着装置３０の定着ニップ部に送られ、定着ニップ部を通過する際に作用する熱・圧力によってトナーが融解・浸透されることで定着され、排出ローラ２６によって画像形成装置本体１００上の排紙トレイ２７に排出される。
【００２９】
１次転写終了後の各像担持体１１ｃ、１１ｍ、１１ｙ、１１ｂは、一次クリーニング装置１７ｃ、１７ｍ、１７ｙ、１７ｂによりクリーニングされることにより残トナーや紙粉などの異物が除去される。また、２次転写終了後の中間転写体１５は、２次クリーニング装置１８によってクリーニングされることにより残トナーが除去される。
【００３０】
一方、２次転写行程を終えた所定用紙（記録媒体）２２に対して表裏両面への画像を形成する場合には、定着装置３０を通過した所定用紙（記録媒体）２２が搬送路切換爪３３によって搬送方向を切り換えられて両面ユニット９２に向け搬送される。
【００３１】
両面ユニット９２では、スイッチバック路９３において所定用紙（記録媒体）２２をスイッチバックさせて表裏反転してから再給紙路９４を通過させて再度画像形成装置本体１００側のレジストローラ２４に向け給送するようになっており、所定用紙（記録媒体）２２は、レジストローラ２４によるレジストタイミング設定によって再度２次転写工程を実施される。なお、両面ユニット９２は、支軸３５を支点として開閉可能（符号Ｒで示す方向）に設けられており、所定用紙（記録媒体）２２のジャムが発生した場合には、その搬送経路および給紙部３６を外部に露呈できる状態に開放することができるようになっている。
【００３２】
なお、図１中、符号２８ｃ、２８ｍ、２８ｙ、２８ｋは、図示しない粉体搬送装置を用いて各色の現像装置１０ｃ、１０ｍ、１０ｙ、１０ｋに向けた補給トナーを収容しているトナーボトルを示している。
【００３３】
図２は、図１に示した画像形成ユニットに用いられるプロセスカートリッジの構成を示す図である。
【００３４】
図２においてプロセスカートリッジ３００は、一つのカートリッジケース３０１の内部に、感光体１１とともに、帯電装置１２、現像装置１４、クリーニング装置１７、図示されない除電装置などの電子写真方式の画像形成プロセス装置が組み込まれて一体化されている。
【００３５】
プロセスカートリッジ３００は、上述した画像形成プロセス装置を纏めて収容することにより作像ユニットを小型化して感光体１１に対する各プロセス装置の位置精度を向上させることができる。しかも、画像形成装置本体１００に対して一括して着脱可能に設けられていることで、個々の部品などの不具合をプロセスカートリッジの修理や交換で対応できるようにしてメンテナンス性を向上させることができる。
画像形成装置本体１００がタンデム方式を対象としているので、本実施形態においては、各作像ユニットでのプロセスカートリッジが異なる色のトナーを用いるだけでそれぞれ同一構成とされている。
【００３６】
ここで、プロセスカートリッジ３００には、感光体１１とともに、これに対する画像形成処理に用いられる、帯電装置１２、現像装置１４、クリーニング装置１７、図示されない除電装置などの装置を纏めて設ける必要はなく、この発明では、感光体１１とともに、いくつかの装置を纏めて収容できるようにすればよい。
【００３７】
なお、帯電装置１２、現像装置１４、クリーニング装置１７などの各プロセス装置をそれぞれモジュール化し、プロセスカートリッジ３００ごと交換できるとともに、プロセスカートリッジ３００を画像形成装置本体１００から取り外した状態においてモジュール単位で交換できるようにしてもよい。このようにすると、使い勝手がよく、使えるプロセス装置をプロセスカートリッジ３００の寿命とともに廃棄することによる資源の無駄使いを防ぐことができる。
【００３８】
図２に示すように、本実施形態に用いられるクリーニング装置１７は、プロセスカートリッジ３００のカートリッジケース３０１にブレードホルダ３０２を取り付け、そのブレードホルダ３０２でクリーニングブレード３０３の基端を支持し、クリーニングブレード３０３の先端を感光体１１の外周面に押し当てる。
【００３９】
カートリッジケース３０１には、またマイラ（登録商標）フィルム等の樹脂フィルム３０４の基端を取り付け、先端を同じく感光体１１の外周面に軽く押し当てている。
【００４０】
プロセスカートリッジ３００の内部には、感光体１１の回転方向ａにおいて、クリーニング工程に用いられるクリーニングブレード３０３の下流側で帯電工程に用いられる帯電装置１２の上流側に、感光体１１を塗布対象物として潤滑剤を供給するための潤滑剤供給装置４００が設けられている。
【００４１】
潤滑剤供給装置４００は、固形潤滑剤４０１と、これに接触して固形潤滑剤４０１を感光体１１に塗布する潤滑剤供給部材４０２と、潤滑剤供給部材４０２と感光体１１との接触位置の下流に配置されて感光体１１の表面に塗布された潤滑剤を均して均一な膜厚に規定して塗り広める潤滑剤均し部材４０３とを備えている。
【００４２】
本実施例における潤滑剤均し部材４０３は、ゴムブレードが用いられ、塗布ブレードとして機能するようになっている。
【００４３】
固形潤滑剤４０１は、感光体１１の長手方向、いわゆる、軸方向において均一な厚さで形成され、弾性体４０１Ａによる押圧付勢によって潤滑剤供給部材４０２に押圧されて接触できるように支持されている。
【００４４】
なお、固体タイプの潤滑剤４０１としては、オレイン酸鉛、オレイン酸亜鉛、オレイン酸銅、ステアリン酸亜鉛、ステアリン酸コバルト、ステアリン酸鉄、ステアリン酸銅、パルミチン酸亜鉛、パルミチン酸銅、リノレン酸亜鉛等の脂肪酸金属塩類、滑石（タルク）類、ポリテトラフルオロエチレン、ポリクロロトリフルオロエチレン、ポリフッ化ビニリデン、ポリトリフルオロクロルエチレン、ジクロロジフルオロエチレン、テトラフルオロエチレン−エチレン共重合体、テトラフルオロエチレン−オキサフルオロポロピレン共重合体等のフッ素系樹脂、カルナウバワックスのような天然ワックスが挙げられる。
【００４５】
以上のような構成を対象として本実施例の特徴について説明する。
【００４６】
本実施例の特徴は、固形潤滑剤４０１に接触する潤滑剤供給部材４０２の構成にある。つまり、潤滑剤供給部材４０２は、ブラシ繊維を周方向に植毛したブラシローラが用いられ、その軸方向において両端部でのブラシ繊維の直径が端部間でのブラシ繊維の直径よりも大きくされている。
【００４７】
図３は、特徴となる構成を説明するための模式図であり、同図において潤滑剤供給部材４０２であるブラシローラは、回転軸４０２Ａに一体化されたコア体（図示されず）の外周面にブラシ繊維が植毛されて構成されており、ブラシ繊維の直径に関して、ブラシローラの軸方向両端部での直径をＤ１とし、端部間での直径をＤ０としたとき、Ｄ１＞Ｄ０の関係とされ、軸方向両側（図３中、符号Ｌで示す領域）での直径が端部間のそれよりも大きく設定されている。
【００４８】
本実施例では、直径を大きくされた軸方向両端部領域が、端部間に設定される感光体１１での画像形成領域外に設定されている。このように、ブラシ繊維の直径をブラシローラの軸方向両端部において端部間よりも大きくする場合の対象としては、本実施例と同様に、削り取りによる潤滑剤の供給を行う装置であれば、画像形成装置に限らないこともちろんである。
【００４９】
本実施例は以上のような構成であるから、潤滑剤塗布手段４０２に相当するブラシローラ（以下の説明においては、ブラシローラ４０２と表現することもある）の使用初期のように、ブラシ繊維に機械的疲労が生じておらず、永久歪み、いわゆる、へたりが生じていない場合、ブラシローラ４０２の軸方向両端部が端部間でのブラシ繊維よりも固形潤滑剤４０１に対する食い込み量が多くなることにより、端部間での接触圧力よりも接触圧力が高くなっている。
【００５０】
このときの端部間でのブラシ繊維の接触圧力は、感光体１１に対する潤滑剤塗布量が所定の量となる削り取り量が得られる接触圧力に設定されている。
【００５１】
この状態においてブラシローラ４０２が回転を継続されると、軸方向両端部、換言すれば、感光体１１の画像形成領域外での固形潤滑剤４０１を対象とした削り取り量が多くなり、固形潤滑剤４０１は、図４に示すように、ブラシローラ４０２の軸方向両端部の領域Ｌが端部間よりも多く削り取られることになる。
【００５２】
これにより、端部間でのブラシ繊維による削り取り量は所定の塗布量が得られる接触圧力を維持できるので、感光体１１に対する過剰な塗布状態が防止されることになる。
【００５３】
一方、使用開始から経過したブラシローラ４０２は、固形潤滑剤４０１との接触時に受ける負荷によって倒れ込み変形し、この変形が継続されることで機械的疲労による永久歪が生じる傾向となる。
【００５４】
このとき、固形潤滑剤４０１は、ブラシローラ４０２の軸方向に平行する長手方向両端部が端部間よりも多く削り取られているので、図４に示すように、端部間との間に段差が生じる。これにより、ブラシローラ４０２は、軸方向において固形潤滑剤４０１側からの押圧力によって均一接触するようになり、軸方向において均等な接触圧力で固形潤滑剤４０１と接触することになる。
【００５５】
以上のような実施例においては、使用初期において端部間が相当する画像形成領域での接触圧力が過大となるのを軸方向端部側でのブラシ繊維の直径の違いによって抑制することができるので、過大な接触圧力によって接触した際の削り取り量が過剰となるのを防止することができる。
【００５６】
上述したように、ブラシローラ４０２の使用初期において画像形成領域での接触圧力が過大となるのを防止できる本実施例においては、このための構成として、固形潤滑剤を特殊な形状とすることなく、ブラシローラ４０２側での軸方向の形態を異ならせるだけの簡単な構成を用いることができる。この結果、固形潤滑剤を特殊な形状とした場合のように、感光体の形式、換言すれば、画像形成領域の大きさに対応する形状の固形潤滑剤を準備するというようなことがなくなり、部品管理コストの低減が図れる。
【００５７】
本実施例においては、潤滑剤塗布装置４００が感光体１１の移動方向である回転方向におけるクリーニング装置として用いられるクリーニングブレード３０３の下流側に配置されているので、感光体１１の表面に転写残トナーなどが存在しない状態で潤滑剤を塗布することができる。これにより、転写残トナーにより潤滑剤の塗布ムラや塗布不足が生じるのを防止することができる。
【００５８】
また本実施例においては、感光体１１の移動方向である回転方向における帯電装置１２の上流側に潤滑剤塗布装置４００が配置されて潤滑剤の過剰な供給が防止されるので、潤滑剤の供給量が過大な場合に発生する虞のある、感光体に接触、あるいは近接している帯電部材が潤滑剤で汚染されることや帯電不良の発生を防止することができる。
【符号の説明】
【００５９】
１００  画像形成装置
３００  プロセスカートリッジ
４００  潤滑剤塗布装置
４０１  固形潤滑剤
４０１Ａ  押圧手段としての弾性体
４０２  潤滑剤供給部材としてのブラシローラ
４０３  均し部材
Ｄ１，Ｄ２  ブラシ繊維の直径
Ｌ１  ブラシローラの軸方向両端側の領域
【先行技術文献】
【特許文献】
【００６０】
【特許文献１】特開２００６−２５１７５１号公報
【特許文献２】特開２００２−３６５９７３号公報
【特許文献３】特開２００５−１４０８７５号公報
【図１】
2010210698.tif 000003
【図２】
2010210698.tif 000004
【図３】
2010210698.tif 000005
【図４】
2010210698.tif 000006
【手続補正書】
【提出日】平成21年5月7日(2009.5.7)
【手続補正１】
【補正対象書類名】明細書
【補正対象項目名】０００８
【補正方法】変更
【補正の内容】
【０００８】
ブラシローラは、特許文献２にも開示されているように、使用初期においてブラシ繊維の機械的疲労が少ないことから、潤滑剤との接触圧力が高い傾向にある。このため、潤滑剤を削り取る量が過剰になりやすく、削り取られた過剰な潤滑剤が供給されると、特許文献１に開示されているように、感光体表面とクリーニングブレードとクリーニングブレードとの間の摩擦力が高まり、感光体の駆動負荷が増加するという不具合がある。